(57)【要約】【課題】タッチパネルの出力電圧を伝える信号線に大容量のコンデンサを接続しても、反応速度を低下させることなく、表示入力装置での押下位置の検出精度を高める。【解決手段】表示入力装置は、入力用のキーを表示する表示部と、二枚の抵抗膜を含むタッチパネル部と、抵抗膜に電圧を印加するための電源部と、一方の抵抗膜に電圧を印加した状態で、印加された電圧が分圧された結果として押下位置により変化し、他方の抵抗膜の電極から出力される電圧の大きさに基づき、押下位置の座標を検出する位置検出部と、抵抗膜と位置検出部の間に接続されるコンデンサと、位置検出部に入力された電圧が予め定められた電圧値としての切替電圧値を超える場合、一方の抵抗膜の両端に印加する電圧の印加方向を逆方向にするスイッチ部と、を有する。【選択図】図６
2011134259.tif 000002
【特許請求の範囲】
【請求項１】
入力用のキーを表示する表示部と、
前記表示部の上面に設けられ、押下された場合に接触し、一方にはＸ座標軸方向の両端に、他方にはＹ座標軸方向の両端にそれぞれ電極が設けられた二枚の抵抗膜を含むタッチパネル部と、
前記抵抗膜に電圧を印加するための電源部と、
一方の抵抗膜に電圧を印加した状態で、印加された電圧が分圧された結果として押下位置により変化し、他方の抵抗膜の電極から出力される電圧の大きさに基づき、押下位置の座標を検出する位置検出部と、
前記抵抗膜と前記位置検出部の間に接続されるコンデンサと、
前記位置検出部に入力された電圧が予め定められた電圧値としての切替電圧値を超える場合、前記一方の抵抗膜の両端に印加する電圧の印加方向を逆方向にするスイッチ部と、を有することを特徴とする表示入力装置。
【請求項２】
前記スイッチ部は、二枚の前記抵抗膜のそれぞれに対して設けられ、
それぞれの前記スイッチ部は、前記位置検出部に入力された電圧が前記切替電圧値を超える場合、前記一方の抵抗膜の両端に印加する電圧の印加方向を逆方向にすることを特徴とする請求項１記載の表示入力装置。
【請求項３】
前記位置検出部は、前記切替電圧値を超える電圧値に基づいて座標を確定せず、前記抵抗膜への電圧の印加方向が逆方向へ切替られた後に入力される電圧値に基づいて座標を確定することを特徴とする請求項１又は２に記載の表示入力装置。
【請求項４】
前記切替電圧値は、前記位置検出部に入力され得る電圧幅の中間値であることを特徴とする請求項１乃至３の何れか１項に記載の表示入力装置。
【請求項５】
請求項１乃至４の何れか１項に記載の表示入力装置を有することを特徴とする画像形成装置。
【発明の詳細な説明】
【技術分野】
【０００１】
本発明は、タッチパネルを備え、画面に表示されるキーを押下して入力を行う表示入力装置に関する。又、この表示入力装置を備えた画像形成装置に関する。
【背景技術】
【０００２】
各種キーが表示される液晶等の表示画面や、表示画面上に設けられた透明なタッチパネルや、タッチパネルで押下された位置を検出する回路を含む表示入力装置が存在する。このようなタッチパネル式の表示入力装置は、例えば、複合機、複写機、プリンタ、ファクシミリ装置等の画像形成装置の操作パネルや、銀行のＡＴＭ、鉄道の券売機等の電気、電子機器に用いられる。
【０００３】
ここで、検出された押下位置と、実際に押下された位置に、ズレ（誤差）があれば、キーを押下したのに反応しない場合や、使用者が意図したキーとは別のキーが押されたと判断される場合等が生ずる。そこで、押下位置の検出精度を考慮した発明が特許文献１に記載されている。具体的に特許文献１には、表示部と、表示部の表示画面に対応して設けられ印加電圧を表示画面の押圧位置に応じて抵抗分割して出力するタッチパネルと、このタッチパネルに電圧を印加する電圧印加手段と、電圧印加手段によりタッチパネルに印加する電圧を、手書き入力の場合と表示画面に表示されたキーをタッチして入力するタッチキー入力の場合とで変更する電圧変更手段と、タッチパネルからの出力電圧をＡ／Ｄ変換するＡ／Ｄ変換手段とを備えたタッチパネル入力装置が記載されている。この構成により、必要により入力位置検出精度を切換えようとする（特許文献１：請求項１、段落［００１２］等参照）。
【特許文献１】特開平０７−３０２１６８号公報
【発明の開示】
【発明が解決しようとする課題】
【０００４】
まず、表示入力装置に対する入力はタッチパネルを押下することにより行われるが、静電気を帯びた人が触れると静電気放電が生ずる場合がある。言い換えると、表示入力装置は、静電気によるノイズに晒される場合がある。もし、静電気の放電により多量に電流が流れたり、タッチパネルに高い電圧が印加されると、押下位置検出用の位置検出部のＡ／Ｄ変換器等の回路を故障させる可能性がある。そこで、タッチパネルと位置検出部間に、ノイズ対策のため、コンデンサが接続される場合がある。尚、コンデンサは、タッチパネルの出力電圧にのる高周波成分等のノイズも除去できる。
【０００５】
確かに、コンデンサの容量を大きくすれば、静電気ノイズは吸収されやすくなり、表示入力装置は、静電気ノイズに対し強くなる。しかし、コンデンサは、タッチパネルの出力電圧の立ち上がりや立ち下がりを鈍くする。更に、大容量のコンデンサほど、位置検出部に入力される電圧が十分に立ち上がるまでの時間は長くなる。もし、大容量のコンデンサをタッチパネルと位置検出部間に接続した場合、完全に立ち上がりきる前の電圧値に基づき、位置検出部が押下位置の座標の検出を行ってしまう場合がある。このように、大容量のコンデンサを用いると、検出された押下位置との実際に押下された位置に、ズレ（誤差）が大きくなり押下位置（座標）の検出精度が低くなるという問題がある。
【０００６】
又、電圧の立ち上がりに時間を要し、押下位置（座標）の検出精度が低くなる点に対応するため、コンデンサの容量を小さくすることが考えられる。しかし、コンデンサの容量を小さくすれば、静電気ノイズに弱くなるという問題がある。又、位置検出部の位置検出を行う周期（検出タイミングの周期）を長くするなど、検出タイミングを遅らせ、位置検出部に入力される電圧が十分に立ち上がるようにして、位置検出を行うことも考えられる。しかし、検出タイミングの周期を長くすれば、タッチパネルへの入力に対する反応速度が遅くなる（タッチパネルの反応が悪くなる）という問題がある。
【０００７】
ここで、特許文献１記載の発明をみると、タッチパネルの出力電圧を伝える信号線にコンデンサを接続する点についての記載はない。従って、特許文献１記載の発明では上記問題に対応することはできない。具体的に、タッチパネルから出力されるタッチ位置検出電圧Ｖｏｕｔはパネル制御部に入力されるので（特許文献１：段落［００１５］参照）、特許文献１記載のタッチパネル入力装置は、少なくとも、静電気ノイズに弱いといえる。
【０００８】
本発明は、上記の課題に鑑みてなされたものであり、タッチパネルの出力電圧を伝える信号線に大容量のコンデンサを接続しても、反応速度を低下させることなく、表示入力装置での押下位置の検出精度を高めることを課題とする。
【課題を解決するための手段】
【０００９】
上記課題を解消するため、請求項１に記載の表示入力装置は、入力用のキーを表示する表示部と、前記表示部の上面に設けられ、押下された場合に接触し、一方にはＸ座標軸方向の両端に、他方にはＹ座標軸方向の両端にそれぞれ電極が設けられた二枚の抵抗膜を含むタッチパネル部と、前記抵抗膜に電圧を印加するための電源部と、一方の抵抗膜に電圧を印加した状態で、印加された電圧が分圧された結果として押下位置により変化し、他方の抵抗膜の電極から出力される電圧の大きさに基づき、押下位置の座標を検出する位置検出部と、前記抵抗膜と前記位置検出部の間に接続されるコンデンサと、前記位置検出部に入力された電圧が予め定められた電圧値としての切替電圧値を超える場合、前記一方の抵抗膜の両端に印加する電圧の印加方向を逆方向にするスイッチ部とを有することとした。
【００１０】
上述の通り、位置検出部に入力される電圧がほぼ完全に立ち上がらない時点の電圧値に基づいて、位置検出部が押下位置の座標検出を行えば、実際の押下位置と検出された座標とのズレが生ずる。コンデンサの容量が大きく、又、立ち上がり後の電圧が大きい場合（振幅が大きい場合）ほど、ほぼ完全に立ち上がるまでの時間は長くなるので、実際の押下位置と検出された座標とのズレが大きくなる。しかし、この構成によれば、スイッチ部は、切替電圧値を超える場合、一方の抵抗膜の両端に印加する電圧の印加方向を逆方向にする。
【００１１】
これにより、同じ座標を示す抵抗膜の出力電圧は、切替前よりも切替後の方が、小さくなる。従って、大容量のコンデンサが抵抗膜と位置検出部との間に接続されても、ズレは少なく、押下位置の座標検出での精度を高めることができる。更に、大容量のコンデンサを接続できるので、表示入力装置は、静電気ノイズに対し強く、静電気ノイズによる位置検出部の故障、破壊をなくすことができる。又、大容量のコンデンサを接続しても、位置検出部の検出タイミングを遅らせる必要が無く、タッチパネルの反応は悪くならない。
【００１２】
又、請求項２に記載の発明は、請求項１の発明において、前記スイッチ部は、二枚の前記抵抗膜のそれぞれに対して設けられ、それぞれの前記スイッチ部は、前記位置検出部に入力された電圧が前記切替電圧値を超える場合、前記一方の抵抗膜の両端に印加する電圧の印加方向を逆方向にすることとした。
【００１３】
この構成によれば、スイッチ部は、二枚の抵抗膜のそれぞれに対して設けられるので、大容量のコンデンサが抵抗膜と位置検出部との間で接続されても、Ｘ座標軸方向とＹ座標軸方向の両方の座標軸方向で、押下位置の座標の検出結果の精度を高めることができる。
【００１４】
又、請求項３に記載の発明は、請求項１又は２の発明において、前記位置検出部は、前記切替電圧値を超える電圧値に基づいて座標を確定せず、前記抵抗膜への電圧の印加方向が逆方向へ切替られた後に入力される電圧値に基づいて座標を確定することとした。
【００１５】
この構成によれば、位置検出部は、逆方向へ切替られた後に入力される電圧値に基づいて座標を確定するので、ズレが少ない抵抗膜の出力電圧に基づき、押下位置の座標を確定し、検出することができる。これにより、押下位置の座標の検出結果の精度を高めることができる。
【００１６】
又、請求項４に記載の発明は、請求項１乃至３の発明において、前記切替電圧値は、前記位置検出部に入力され得る電圧幅の中間値であることとした。
【００１７】
この構成によれば、切替電圧値は、押下位置の座標を検知する上での、位置検出部に入力され得る電圧幅の中間値であるので、正確に座標を確定することができる。
【００１８】
又、請求項５に記載の画像形成装置は、請求項１乃至４のいずれか１項に記載の表示入力装置を備えることとした。
【００１９】
この構成によれば、タッチパネル部の反応が良く、タッチパネル部で押下された座標の検出精度が高いので、使用者によって使いやすい表示入力装置を有する画像形成装置を提供することができる。又、静電気ノイズに対し強いので、故障や誤動作が生じにくい表示入力装置を有する画像形成装置を提供することができる。
【発明の効果】
【００２０】
以上説明したとおり、本発明によれば、抵抗膜と位置検出部の間に接続されるコンデンサの容量を問わず、押下位置の座標の検出精度が高く、反応速度が速く、使い勝手がよい表示入力装置や画像形成装置を提供することができる。又、大容量のコンデンサを接続できるので、ノイズに強い表示入力装置や画像形成装置を提供することができる。
【図面の簡単な説明】
【００２１】
【図１】実施形態に係る複合機の概略構造を示す模型的正面断面図である。
【図２】実施形態に係る操作パネルの一例を示す図である。
【図３】実施形態に係る複合機のハードウェア構成の一例を示すブロック図である。
【図４】実施形態に係る操作パネルのハードウェア構成の一例を示すブロック図である。
【図５】実施形態に係るタッチパネルの一例を示す図である。
【図６】実施形態に係る操作パネルでの各抵抗膜への電圧印加と座標検出の一例を説明するための説明図である。
【図７】実施形態に係る操作パネルのＡ／Ｄ変換器に入力される電圧波形の一例を示し、（ａ）は振幅が大きい場合、（ｂ）は、振幅が小さい場合を示す。
【図８】実施形態に係る操作パネルの押下位置のＸ座標の検出における電圧印加方向の切替の一例を示す等価的な回路図である。
【図９】実施形態に係る操作パネルの押下位置のＹ座標の検出における電圧印加方向の切替の一例を示す等価的な回路図である。
【図１０】実施形態に操作パネルでの座標検出制御の一例を示すフローチャートである。
【発明を実施するための形態】
【００２２】
以下、本発明の実施形態を図１〜１０を参照しつつ説明する。ここでは、操作パネル１（表示入力装置に相当）を備えた複合機１００（画像形成装置に相当）を例に挙げ説明する。尚、本発明の表示入力装置は、複合機１００以外のものにも適用でき、本実施の形態に記載されている構成、配置等の各要素は、発明の範囲を限定するものではない。
【００２３】
（複合機１００の概略構成）
まず、図１に基づき、本発明の実施形態に係る複合機１００の概略構成を説明する。図１は、本発明の実施形態に係る複合機１００の概略構造を示す模型的正面断面図である。
【００２４】
図１に示すように、本実施形態の複合機１００は、上部に原稿カバー１０１が設けられ、その下部の複合機１００本体には、画像読取部１０２、給紙部２ａ、搬送路２ｂ、画像形成部３ａ、定着部３ｂ等を備える。又、複合機１００の正面上部に操作パネル１（表示入力装置に相当）が備えられる（図２参照。図１において破線で図示、）。
【００２５】
まず、原稿カバー１０１は、画像読取部１０２のコンタクトガラス１０３に載置された原稿を上方から押さえる。この原稿カバー１０１は、図１の紙面奥側に支点が設けられ、持ち上げ可能である。そして、画像読取部１０２は原稿を読み取り、原稿の画像データを生成する。この画像読取部１０２の上面に、コンタクトガラス１０３が設けられ、画像読取部１０２は、コンタクトガラス１０３上に載置される原稿を読み取る。画像読取部１０２内には、ランプ、反射板、ミラー、レンズ、イメージセンサ（例えば、ＣＣＤセンサ）等が設けられ（不図示）、ランプ、反射板、ミラー等が図１の左右方向で水平に移動し、原稿の反射光をイメージセンサに導いて、光学的に原稿を走査し画像データを生成する。
【００２６】
給紙部２ａは、各サイズ（Ａ４、Ｂ５等のＡ、Ｂ型サイズやレターサイズ等）、各種（コピー用紙、再生紙、ＯＨＰシート、ラベルシート）等の各種用紙（シート）が収納される。そして、印刷時、給紙部２ａは、用紙を供給する。搬送路２ｂは、給紙部２ａから供給された用紙を、画像形成部３ａ、定着部３ｂを経て排出トレイ２１まで搬送する。搬送路２ｂは用紙を案内する。又、搬送路２ｂには、用紙搬送のため回転する搬送ローラ対２２ａ、２２ｂ及び搬送されてくる用紙を画像形成部３ａの手前で待機させ、トナー像形成のタイミングを合わせて用紙を送り出すレジストローラ２３等が設けられる。
【００２７】
画像形成部３ａは、トナー像を形成し、搬送される用紙にトナー像の転写を行う。画像形成部３ａは、図１中に示す矢印方向に回転駆動可能に支持された感光体ドラム３１を含む。又、画像形成部３ａは、感光体ドラム３１の周囲に配設された帯電部３２、露光装置３３、現像部３４、転写ローラ３５、クリーニング部３６を含む。
【００２８】
感光体ドラム３１は、画像形成部３ａの略中心に設けられ回転駆動する。帯電部３２は、図１において感光体ドラム３１の右斜め上方に設けられ、感光体ドラム３１の表面を所定電位に帯電させる。露光装置３３は、帯電部３２の右方に設けられ、画像読取部１０２で取得された画像データや外部のコンピュータ２００（例えば、パーソナルコンピュータ、図３参照）、相手方ＦＡＸ装置３００（図３参照）から送信された画像データ等に基づき、レーザ光を出力する。これにより、感光体ドラム３１表面はレーザ光で走査露光され、画像データに応じた静電潜像が形成される。現像部３４は、感光体ドラム３１の右斜め下方に設けられ、感光体ドラム３１上の静電潜像にトナーを供給して現像する。これにより、トナー像が感光体ドラム３１上に形成される。
【００２９】
そして、感光体ドラム３１の左方に、転写ローラ３５が回転可能に設けられる。転写ローラ３５は、感光体ドラム３１に圧接する。トナー像が転写ローラ３５と感光体ドラム３１のニップに進入する際、用紙もニップに進入する。この時、転写ローラ３５に所定の電圧が印加され、感光体ドラム３１上のトナー像が用紙に転写される。尚、クリーニング部３６は、転写終了後、感光体ドラム３１の表面に残留するトナーを清掃する。
【００３０】
定着部３ｂは、用紙に転写されたトナー像を定着させる。本実施形態の定着部３ｂは、主として発熱体を内蔵する加熱ローラ３７と加圧ローラ３８で構成される。加圧ローラ３８は加熱ローラ３７に圧接する。そして、トナー像の転写された用紙は、加熱ローラ３７と加圧ローラ３８とのニップを通過する。これにより、トナーが加熱、加圧され、その結果、トナー像が用紙に定着する。そして、定着部３ｂを通過した用紙は排出トレイ２１に排出される。
【００３１】
（操作パネル１の概要）
次に、図１及び図２に基づき、本発明の実施形態に係る操作パネル１を説明する。図２は、本発明の実施形態に係る操作パネル１の一例を示す図である。
【００３２】
図１に示すように、操作パネル１は、複合機１００の正面上方に設けられる。そして、図２に示すように、操作パネル１の右方に数字入力用のテンキー部１１、コピーやスキャン等の開始を指示するスタートキー１２等の入力、設定用の各種キーを備える。又、操作パネル１の左方には、複合機１００の有するコピー、プリンタ、スキャナ、ＦＡＸの機能の内、いずれの機能を使用するか選択するための機能選択キー群１３が設けられる。
【００３３】
そして、機能選択キー群１３とテンキー部１１との間に、設定画面等を表示する入力用のキー（入力）を表示する液晶表示部１４（表示部に相当）が設けられる。尚、液晶以外の方式（例えば、有機ＥＬ）で表示する表示部であってもよい。例えば、図２（ｂ）に示すように、液晶表示部１４は、操作・入力のための１又は複数の入力キー１５が表示される（尚、図２（ｂ）では、煩雑となることを防ぐため、「集約キー」のみに符号１５を付す）。そして、液晶表示部１４に重ね合わされて、タッチパネル部４が設けられる。タッチパネル部４は、液晶表示部１４（表示部）の上面に設けられ、間隔をもたせて重ねられ押下された場合に接触し、一方にはＸ座標軸方向の両端に、他方にはＹ座標軸方向の両端にそれぞれ電極が設けられた二枚の上部抵抗膜８Ａ、下部抵抗膜８Ｂ（抵抗膜８）を含む（詳細は後述）。
【００３４】
このタッチパネル部４により、液晶表示部１４で押下された位置を検出し、押下位置の座標を特定する。そして、液晶表示部１４に表示された各入力キー１５に割り当てられた座標と、押下位置の座標を比較し、使用者に押下された入力キー１５が特定される。そして、押下された入力キー１５に応じて、例えば、液晶表示部１４の表示は、異なる階層に切り替えられたり、又は、押下された入力キー１５の色が変えられたり（例えば、白黒反転）する。このように、液晶表示部１４に基づき、使用者は、複合機１００の有する各種機能の設定を行うことができる。
【００３５】
（複合機１００のハードウェア構成）
次に、図３に基づき、本発明の実施形態に係る複合機１００のハードウェア構成の一例を説明する。図３は、本発明の実施形態に係る複合機１００のハードウェア構成の一例を示すブロック図である。
【００３６】
まず、複合機１００の動作を制御するため、複合機１００内に、本体制御部５が設けられる。この本体制御部５は、複合機１００の各部と接続され、動作制御を行う。
【００３７】
本体制御部５は、複合機１００本体の動作を制御する中央処理演算装置としてのＣＰＵ５１と、複合機１００の制御プログラム、制御用データ、画像データ、設定データ、各種パラメータデータ等の各種データを記憶する記憶部５２を有する。記憶部５２は、不揮発性のＲＯＭ、ＨＤＤ、フラッシュＲＯＭと、揮発性のＲＡＭ等で構成され、複合機１００の制御に必要となるプログラム、データを保持する。
【００３８】
そして、本体制御部５は、画像読取部１０２、給紙部２ａ、搬送路２ｂ、画像形成部３ａ、定着部３ｂ等と信号線等で接続され、印刷時等の各部の動作の制御を行う。又、本体制御部５は、各種コネクタ、ソケット等を備えたＩ／Ｆ部５３（インターフェイス部）と接続され、Ｉ／Ｆ部５３は、ネットワーク等により、外部のコンピュータ２００と接続される。これにより、複合機１００は、外部のコンピュータ２００から画像データや印刷設定データを受信し、印刷できる（プリンタ機能）。又、複合機１００は、画像読取部１０２で読み取った画像データを外部のコンピュータ２００に送信できる（スキャナ機能）。又、本体制御部５には、モデム５４が接続され、公衆通信回線を介し、相手方ＦＡＸ装置３００とのデータの送受信や受信データの印刷を行うことができる（ＦＡＸ機能）。
【００３９】
又、複合機１００は、操作パネル１とも接続される。操作パネル１への使用者による設定入力内容は、本体制御部５に伝達される。そして、本体制御部５は、使用者の設定入力が反映されるように、複合機１００の動作の制御を行う。例えば、コピー機能使用時、濃度変更設定を操作パネル１に対して行った場合、本体制御部５は、複合機１００の印刷濃度を調整する。例えば、スキャナ機能使用時、読み取り解像度の設定を操作パネル１にて行った場合、指定された解像度で原稿の画像データが生成される。このように、操作パネル１の入力結果が複合機１００の動作に反映される。
【００４０】
（操作パネル１のハードウェア構成）
次に、図４に基づき、本発明の実施形態に係る操作パネル１のハードウェア構成の一例を説明する。図４は、本発明の実施形態に係る操作パネル１のハードウェア構成の一例を示すブロック図である。
【００４１】
図４に示すように、本実施形態の操作パネル１には、表示制御部６（位置検出部１０の一部）が設けられる。表示制御部６は、操作パネル１に関する制御を行う。表示制御部６には、中央演算処理装置としてのＣＰＵ６１、メモリ６２、ビデオメモリ６３、ドライバ回路６４等が設けられる。ＣＰＵ６１は、表示制御部６の動作、通信を制御する。メモリ６２は、操作パネル１の制御に要するプログラムやデータを記憶する。例えば、メモリ６２は、タッチパネル部４の押下位置の座標を検出するためのデータを記憶する。
【００４２】
ビデオメモリ６３は、予め定められた多数種の液晶表示部１４での表示用の画像データを記憶し、液晶表示部１４に表示する画面データを展開するためのメモリである。又、ドライバ回路６４は、ＣＰＵ６１の指令と、液晶表示部１４での表示用の画面データに基づき、液晶表示部１４を実際に制御して、液晶表示部１４を駆動させる回路である（例えば、液晶ドライバ回路）。このようにして、液晶表示部１４の表示は、ＣＰＵ６１等の表示制御部６によって制御される。
【００４３】
そして、表示制御部６は、タッチパネル部４と接続されるＡ／Ｄ変換器７と接続される。ここで、操作パネル１内には、上部抵抗膜８Ａ、下部抵抗膜８Ｂなどのタッチパネル部４や表示制御部６等の操作パネル１内の他の構成に電圧を印加するための電源部６５等が設けられる。電源部６５は、例えば、複合機１００本体内に設けられる電源装置１０４から電力の供給を受ける。例えば、電源部６５は、電源装置１０４からＤＣ５Ｖの電圧で電力の供給を受ける。或いは、電源部６５は、電源装置１０４から供給された電力の変換を行って、操作パネル１内部用の電圧を生成しても良い。尚、電源部６５とタッチパネル部４の間には、タッチパネル部４の各抵抗膜８への電圧印加のＯＮ／ＯＦＦや電圧の印加方向を切り替えるためのスイッチ部９が設けられる（詳細は後述）。
【００４４】
Ａ／Ｄ変換器７は、タッチパネル部４（各抵抗膜８）のアナログの出力電圧をディジタルデータに変換し、例えば、表示制御部６のＣＰＵ６１に入力する。そして、ＣＰＵ６１は、ディジタルデータに基づき、押下位置の座標を検出する。例えば、ＣＰＵ６１（表示制御部６）は、液晶表示部１４の横方向をＸ方向とし、縦方向をＹ座標軸方向とすると、表示制御部６は、Ｘ、Ｙの２方向について座標を検出する。
【００４５】
従って、Ａ／Ｄ変換器７と表示制御部６が、タッチパネル部４の押下位置の座標を検出する位置検出部１０として機能する。尚、ＣＰＵ６１がＡ／Ｄ変換機能を有すれば、Ａ／Ｄ変換器７を設けなくても良い。そして、検出された位置（座標）に基づき、表示制御部６は、液晶表示部１４に表示された入力キー１５のうち、いずれの入力キー１５が押下されたかを認識する。
【００４６】
又、表示制御部６は、テンキー部１１やスタートキー１２等の各種キーと接続される。これにより、表示制御部６は、各種キーへの入力（押下）を検知する。このようにタッチパネル部４等や各種キーの押下による使用者の複合機１００の設定入力を、表示制御部６は受け付け、ＣＰＵ６１の通信制御のもと、操作パネル１への使用者の入力結果を本体制御部５に送信する。これにより、本体制御部５は操作パネル１への使用者の設定入力を反映させて複合機１００の動作を制御して、例えば、使用者の望む印刷結果等が得られる。
【００４７】
（タッチパネル部４の構成）
次に、図５に基づき、本発明の実施形態に係るタッチパネル部４の一例を説明する。図５は、本発明の実施形態に係るタッチパネル部４の一例を示す図である。
【００４８】
図５（ａ）に示すように、タッチパネル部４は、ＰＥＴ等の上部フィルム４０と液晶表示部１４の上面を構成する下部ガラス１４ａの間に、透明導電物質である例えば、ＩＴＯ（インジウム錫酸化物）などからなる上部抵抗膜８Ａ（抵抗膜に相当）と下部抵抗膜８Ｂ（抵抗膜８に相当）が設けられる。上部抵抗膜８ＡのＸ座標軸方向（液晶表示部１４の左右方向）に電圧が印加されるように、Ｘ座標軸方向の両端に、電極が形成される（図５（ａ）において、Ｘ１、Ｘ２として図示）。又、下部抵抗膜８Ｂには、Ｙ座標軸方向に電圧が印加されるように、Ｙ座標軸方向の両端に、電極が形成される（図５（ａ）において、Ｙ１、Ｙ２として図示）。そして、各抵抗膜８がスペーサ４１によって離隔される（図５（ｂ）参照）。
【００４９】
例えば、図５（ｂ）に示すように、タッチパネル部４の一点が押下されると、上部抵抗膜８Ａと下部抵抗膜８Ｂが接触する。そして、押下位置のＸ座標は、上部抵抗膜８Ａの電極Ｘ１と電極Ｘ２に電圧を印加したときの下部抵抗膜８Ｂの電極Ｙ１又は電極Ｙ２からの出力電圧に基づき定まる。一方、押下位置のＹ座標は、下部抵抗膜８Ｂの電極Ｙ１と電極Ｙ２に電圧を印加したときの上部抵抗膜８Ａの電極Ｘ１と電極Ｘ２からの出力電圧に基づき定まる。
【００５０】
（各抵抗膜８への電圧印加）
次に、図６に基づき、本発明の実施形態に係る操作パネル１での各抵抗膜８への電圧印加と座標検出の一例を説明する。図６は、本発明の実施形態に係る操作パネル１での各抵抗膜８への電圧印加と座標検出の一例を説明するための説明図である。尚、図６では、上部抵抗膜８Ａに直流電圧Ｖｃｃを印加し、下部抵抗膜８Ｂから出力される電圧を取得し、Ｘ座標を検出する例を示している。言い換えると、Ｘ座標検出時の状態の一例を示す。
【００５１】
まず、図６に示すように、上部抵抗膜８Ａの電極Ｘ１にはスイッチ部９Ａが、電極Ｘ２にはスイッチ部９Ｂが接続される。スイッチ部９Ａは、合計４つの端子が設けられる。端子９Ａ１は電極Ｘ１と接続される。端子９ＡＧはグランドと接続される。端子９Ａ２は、抵抗Ｒ１を介してコンデンサＣ１及びＡ／Ｄ変換器７Ａ（位置検出部１０の一部）と接続される。即ち、コンデンサＣ１は、上部抵抗膜８Ａと位置検出部１０の間に接続される。端子９ＡＶは、電源部６５と接続され、上部抵抗膜８Ａに印加するための直流電圧Ｖｃｃが接続される。そして、スイッチ部９Ａは、電極Ｘ１と接続される端子９Ａ１と、端子９ＡＧ、端子９Ａ２、端子９ＡＶのいずれかを接続する。尚、図６では、スイッチ部９Ａは、端子９Ａ１と端子９ＡＶを接続した状態であるので、上部抵抗膜８Ａの電極Ｘ１に直流電圧Ｖｃｃが印加された状態である。
【００５２】
又、スイッチ部９Ｂは、合計３つの端子が設けられ、端子９Ｂ１が電極Ｘ２と接続される。端子９ＢＧはグランドと接続される。端子９ＢＶは、電源部６５と接続され、上部抵抗膜８Ａに印加するための直流電圧Ｖｃｃが接続される。そして、スイッチ部９Ｂは、電極Ｘ２と接続される端子９Ｂ１と、端子９ＢＧ、端子９ＢＶのいずれかを接続する状態、若しくは、端子９Ｂ１と、いずれの端子とも接続されない状態を取ることができる（オープン状態）。尚、図６では、スイッチ部９Ｂは、端子９Ｂ１と端子９ＢＧを接続した状態であるので、上部抵抗膜８Ａの電極Ｘ２は、グランドに接続された状態である。即ち、上部抵抗膜８Ａの電極Ｘ１と電極Ｘ２間に直流電圧Ｖｃｃが印加された状態である。
【００５３】
一方、下部抵抗膜８Ｂに対するスイッチ部９Ｃには、合計４つの端子が設けられる。端子９Ｃ１は電極Ｙ１と接続される。端子９ＣＧはグランドと接続される。端子９Ｃ２は、抵抗Ｒ２を介してコンデンサＣ２及びＡ／Ｄ変換器７Ｂ（位置検出部１０の一部）と接続される。即ち、コンデンサＣ２は、下部抵抗膜８Ｂと位置検出部１０の間に接続される。端子９ＣＶは、電源部６５と接続され、下部抵抗膜８Ｂに印加するための直流電圧Ｖｃｃが接続される。そして、スイッチ部９Ｃは、電極Ｙ１と接続される端子９Ｃ１と、端子９ＣＧ、端子９Ｃ２、端子９ＣＶのいずれかを接続する。
【００５４】
尚、図６では、スイッチ部９Ｃは、端子９Ｃ１と端子９Ｃ２を接続した状態であるので、上部抵抗膜８Ａの電極Ｘ１に印加された直流電圧Ｖｃｃを、押下位置により上部抵抗膜８Ａで分圧された結果としての電圧がＡ／Ｄ変換器７Ｂに入力される。言い換えると、タッチパネル部４が押下された際、上部抵抗膜８Ａが下部抵抗膜８Ｂと接触した位置により、上部抵抗膜８Ａの分圧比が変わる。例えば、Ｘ座標軸の中間位置で押下されれば、電極Ｘ１−電極Ｘ２間に印加された直流電圧Ｖｃｃの１／２の値の電圧値が、電極Ｙ１と電極Ｙ２に現れ、Ａ／Ｄ変換器７Ｂに入力される。
【００５５】
又、スイッチ部９Ｄは、合計３つの端子が設けられ、端子９Ｄ１が電極Ｙ２と接続される。端子９ＤＧはグランドと接続される。端子９ＤＶは、電源部６５と接続され、上部抵抗膜８Ａに印加するための直流電圧Ｖｃｃが接続される。そして、スイッチ部９Ｄは、電極Ｙ２と接続される端子９Ｄ１と、端子９ＤＧ、端子９ＤＶのいずれかを接続する状態、若しくは、端子９Ｄ１と、いずれの端子とも接続されない状態を取ることができる（オープン状態）。尚、図６では、スイッチ部９Ｄは、端子９Ｄ１を、端子９ＤＧと端子９ＤＶのいずれにも接続しない状態である。
【００５６】
尚、上記の説明では、Ｘ座標軸方向での座標を検出する状態を示したが、Ｙ座標軸方向での座標を検出する場合、例えば、スイッチ部９Ａとスイッチ部９Ｃの状態を入れ替え、スイッチ部９Ｂとスイッチ部９Ｄの状態を入れ替える。これにより、下部抵抗膜８Ｂの電極の一方が電源部６５と接続され、他方がグランドに接続される状態となる。又、上部抵抗膜８Ａでは、下部抵抗膜８Ｂの電極Ｙ１に印加された直流電圧Ｖｃｃを、押下位置により下部抵抗膜８Ｂで分圧された結果としての電圧が、電極Ｘ１と電極Ｘ２に現れ、Ａ／Ｄ変換器７Ａに入力される。
【００５７】
尚、電源部６５の直流電圧Ｖｃｃが電極Ｘ１に印加される図６の例では、押下位置が電極Ｘ１に近いほど、電極Ｙ１に現れる電圧は大きくなる。Ａ／Ｄ変換器７Ｂは、この電圧をＡ／Ｄ変換する。Ａ／Ｄ変換後のディジタルデータは、表示制御部６に入力される。
【００５８】
そして、検出された電圧（ディジタルデータ）から押下されたドットの特定方法は多様で種々考えられるが、例えば、検出された電圧値を用いて押下されたドットを特定する場合、ＣＰＵ６１が、Ｘ方向での全ドット（例えば、８００ドット）に対する１ドットあたりの電圧の刻み幅で検出電圧値を割れば、押下位置が液晶表示部１４の端部から何ドット目に当たるか認識することができる。又、Ｙ座標軸方向でも同様に、例えば、ＣＰＵ６１が、Ｙ座標軸方向での全ドット（例えば、４８０ドット）に対する１ドットあたりの電圧の刻み幅で検出電圧値を割れば、押下位置が液晶表示部１４の端部から何ドット目に当たるか認識することができる。
【００５９】
又、予め、Ｘ座標軸方向、Ｙ座標軸方向につき、各Ａ／Ｄ変換器７の出力ディジタルデータに対する押下位置の座標を示すテーブルを生成しておき、操作パネル１のメモリ６２等に記憶させておく。これにより、各Ａ／Ｄ変換器７からのディジタルに対し、テーブルを参照することにより、押下位置のＸ座標、Ｙ座標を求めることができる。
【００６０】
即ち、位置検出部１０（表示制御部６、Ａ／Ｄ変換器７Ａ、Ａ／Ｄ変換器７Ｂ）は、一方の抵抗膜８に電圧を印加した状態で、印加された電圧が分圧された結果として押下位置により変化し、他方の抵抗膜８の電極から出力される電圧の大きさに基づき、押下位置の座標を検出する。
【００６１】
そして、スイッチ部９Ａ〜スイッチ部９Ｄの動作の制御は、例えば、表示制御部６が行う。例えば、表示制御部６は、各スイッチ部９（９Ａ〜９Ｄ）をスイッチングさせ、例えば、一定の周期（時間間隔）で、各Ａ／Ｄ変換器７のディジタルデータに基づき、交互にＸ座標とＹ座標の検出を行うことができる。言い換えると、表示制御部６は、押下位置のＸ座標とＹ座標の検出を交互に行うことができる。例えば、表示制御部６のＣＰＵ６１は、複数回にわたり同じドット（座標）が押下されていると認められた場合、そのドットが押下されていると特定する。
【００６２】
尚、同じドットが押下されていると認められるまでの回数は、適宜設定可能である。例えば、２〜５回程度に設定することができる。又、座標を検出する周期も適宜設定可能であるが、例えば、１０数ミリ秒〜数十ミリ秒に一回程度、座標を検出するように設定することができる（何れかのＡ／Ｄ変換器７が１０数ミリ秒〜数十ミリ秒に一回程度、入力される電圧をラッチし、ディジタルデータを出力する）。
【００６３】
そして、表示制御部６のＣＰＵ６１が、液晶表示部１４のドット（画素）のうち、押下されていると特定したドットに、何らかの入力キー１５が配されていれば、表示制御部６（ＣＰＵ６１）は、その入力キー１５が押されたと判断し、その入力を受け付けるとともに、場合により、液晶表示部１４を切り替える。
【００６４】
更に、本実施形態の上部抵抗膜８Ａでは、スイッチ部９Ａは、電源部６５及びグランドに接続され、スイッチ部９Ｂも電源部６５及びグランドに接続される。従って、上部抵抗膜８Ａの電極Ｘ１に直流電圧Ｖｃｃを印加し、電極Ｘ２をグランドに接続することも、上部抵抗膜８Ａの電極Ｘ２に直流電圧Ｖｃｃを印加し、電極Ｘ１をグランドに接続することもできる。表示制御部６によるスイッチ部９Ａ〜スイッチ部９Ｄの動作の制御によって、上部抵抗膜８Ａでの電圧印加方向を制御することができる。言い換えると、表示制御部６は、スイッチ部９Ａ、スイッチ部９Ｂを制御して、上部抵抗膜８Ａに印加する電圧の方向を切り替え可能である。
【００６５】
同様に、本実施形態の下部抵抗膜８Ｂでも、スイッチ部９Ｃは、電源部６５及びグランドに接続され、スイッチ部９Ｄも電源部６５及びグランドに接続される。従って、下部抵抗膜８Ｂの電極Ｙ１に直流電圧Ｖｃｃを印加し、電極Ｙ２をグランドに接続することも、下部抵抗膜８Ｂの電極Ｙ２に直流電圧Ｖｃｃを印加し、電極Ｙ１をグランドに接続することもできる。表示制御部６によるスイッチ部９Ａ〜スイッチ部９Ｄの動作の制御によって、下部抵抗膜８Ｂでの電圧印加方向を制御することができる。言い換えると、表示制御部６は、スイッチ部９Ｃ、スイッチ部９Ｄを制御して、下部抵抗膜８Ｂに印加する電圧方向の切り替えも可能である。これらの点の詳細は後述する。
【００６６】
（コンデンサによる影響）
次に、図７に基づき、本発明の実施形態に係る操作パネル１でのコンデンサによる座標検出の影響の一例を説明する。図７は、本発明の実施形態に係る操作パネル１のＡ／Ｄ変換器７Ｂに入力される電圧波形の一例を示し、（ａ）は振幅が大きい場合、（ｂ）は、振幅が小さい場合を示す。尚、Ｘ座標とＹ座標では、構成や回路等は、ほぼ同様なので、本説明では、Ｘ座標を検出する場合を例に挙げ説明する。
【００６７】
まず、図７（ａ）、（ｂ）では縦軸は、Ｘ座標の検出用の下部抵抗膜８ＢからＡ／Ｄ変換器７Ｂに入力される電圧の大きさ（振幅）を示し、横軸は、時間を示す。又、図７における上方の２点鎖線は、例えば、タッチパネル部４の端が押下された場合など、静電ノイズ発生時を除き、Ａ／Ｄ変換器７Ｂに入力される電圧の最大値（抵抗Ｒ２とコンデンサＣ２の直列回路に印加されうる最大値、例えば、ほぼ、直流電圧Ｖｃｃと同じ値）である。一方、下方の２点鎖線は、例えば、タッチパネル部４の反対側の端が押下された場合など、静電ノイズ発生時を除き、Ａ／Ｄ変換器７Ｂに入力される電圧の最大値と最小値（例えば、ほぼ、グランド程度）の中間値である。例えば、中間値は、直流電圧Ｖｃｃの１／２で近似できる場合がある。尚、中間値は、後述の切替電圧値とすることができる。
【００６８】
尚、図７の波形は、Ｘ座標とＹ座標の検出を一定周期で交互に行う際に、Ａ／Ｄ変換器７Ｂに対し、入力される電圧の波形の一例を示している。言い換えると、図７は、表示制御部６が、各スイッチ部９（スイッチ部９Ａ〜９Ｄ）を制御して、一定周期（例えば、１０数ミリ秒〜数十ミリ秒）で上部抵抗膜８Ａと下部抵抗膜８Ｂに交互に直流電圧Ｖｃｃを交互に印加する場合のＡ／Ｄ変換器７Ｂへの入力波形の一例を示している。
【００６９】
本実施形態の操作パネル１では、Ａ／Ｄ変換器７Ａと上部抵抗膜８Ａの間にコンデンサＣ１が接続される。又、Ａ／Ｄ変換器７Ｂと下部抵抗膜８Ｂの間にコンデンサＣ２が接続される。各コンデンサは、静電気ノイズ対策用のものであり、使用者がタッチパネル部４に触れた際に、静電気ノイズにより放電が生じても、その放電を吸収し、各Ａ／Ｄ変換器７の破損を防ぐ。例えば、本実施形態の操作パネル１には、０．１μＦ以上のものを用いることができる。
【００７０】
ところが、図７に示すように、コンデンサは、電圧（信号）の立ち上がりを鈍らせる特性がある。例えば、ＲＣ直列回路の過渡現象におけるコンデンサの両端の電圧Ｖｃは以下の式で求められることが知られている。
Ｖｃ＝Ｅ（１−exp(-t/CR））
尚、Ｅは、ＲＣ直列回路に印加される電圧（Ｖ）であり、ｔは時間（秒）、Ｃは静電容量（Ｆ）、Ｒは抵抗値（Ω）である。この式の過渡項（Ｅexp(-t/CR））をみてもわかるように、コンデンサの容量が大きいほど、過渡項が小さくなるには時間がかかる。又、過渡項において、ＲＣ直列回路に印加される電圧Ｅ（即ち、各抵抗膜８の出力電圧）が大きいほど、過渡項が小さくなるには時間がかかる。
【００７１】
従って、図７（ａ）、図７（ｂ）で実線に示すように、Ａ／Ｄ変換器７Ｂに入力される電圧は、立ち上がりが鈍くなる場合がある。尚、破線で示す波形は、コンデンサがない場合、或いは、コンデンサの容量が小さい場合の、Ａ／Ｄ変換器７に入力に入力される電圧の波形の一例である（理想的な波形の一例）。尚、図７（ａ）、（ｂ）では、波形の立ち下がりは、理解を容易とするため、急峻として示しているが、実際は、コンデンサからの放電により、もう少し立ち下がりはなだらかである。
【００７２】
ここで、図７（ａ）に示すように、下部抵抗膜８Ｂの電極Ｙ１からの出力電圧が大きい場合、その分、Ａ／Ｄ変換器７Ｂに入力される電圧がほぼ完全に立ち上がるまで（破線の波形の頂点にほぼ達するまで）時間を要する。そのため、周期Ｔのギリギリの時点Ｔ１まで、Ａ／Ｄ変換器７Ｂがラッチするタイミングを遅らせたとしても、Ａ／Ｄ変換器７Ｂがラッチする電圧値と、完全に立ち上がった時の電圧値（破線の波形）の最大値とにズレＤ１が生ずる場合がある。このズレＤ１は、検出座標のズレ（誤差）となる。
【００７３】
一方、図７（ｂ）に示すように、下部抵抗膜８Ｂの出力電圧が小さくてもＡ／Ｄ変換器７Ｂに入力される電圧がほぼ完全に立ち上がるまで時間を要する。しかし、周期Ｔのギリギリの時点Ｔ１で、Ａ／Ｄ変換器７Ｂがラッチする電圧値におけるズレＤ２は、下部抵抗膜８Ｂからの出力電圧が大きい場合に比べ、小さくなる。従って、下部抵抗膜８Ｂの出力電圧が小さいほど、検出座標のズレ（誤差）は、小さくなる。
【００７４】
そこで、本実施形態では、各Ａ／Ｄ変換器７に入力される電圧値が予め定められた切替電圧値を超える場合、検出座標のズレを小さく留めるため、各抵抗膜８に対する電圧印加方向が切り替えられる。そこで、この点に付き、以下説明する。
【００７５】
（各抵抗膜８への電圧印加方向の切替）
次に、図８、９に基づき、各抵抗膜８への電圧印加方向の切替を説明する。図８は本発明の実施形態に係る操作パネル１の押下位置のＸ座標の検出における電圧印加方向の切替の一例を示す等価的な回路図である。図９は、本発明の実施形態に係る操作パネル１の押下位置のＹ座標の検出における電圧印加方向の切替の一例を示す等価的な回路図である。
【００７６】
まず、Ｘ座標検出の例から説明する。図８（ａ）は、スイッチ部９Ａから（電極Ｘ１）に直流電圧Ｖｃｃが印加され、スイッチ部９Ｂ（電極Ｘ２）は、グランドに接続されている状態を示す。このとき、例えば、タッチパネル部４の左端（電極Ｘ１側）から、タッチパネル部４のＸ座標軸方向の全長の１／３離れた地点が押下されたとする。
【００７７】
そうすると、上部抵抗膜８Ａと下部抵抗膜８Ｂの接触位置から、上部抵抗膜８Ａにおける抵抗の比は、電極Ｘ１側の抵抗Ｒｘを１とすると、電極Ｘ２側の抵抗は２Ｒｘとなる（約２倍の長さ、抵抗のリニアリティ）。従って、電極Ｙ１から出力される電圧は、約２／３Ｖｃｃとなる。Ａ／Ｄ変換器７Ｂのディジタルデータを受けて、表示制御部６は、Ａ／Ｄ変換器７Ｂに入力された電圧が切替電圧値を超えていることを認識できる。
【００７８】
尚、切替電圧値は、押下位置の座標を検知する上での、位置検出部１０に入力される電圧幅の中間値とできる。切替電圧値は、例えば、直流電圧Ｖｃｃの１／２で近似できる場合がある。
【００７９】
表示制御部６は、図８（ｂ）に示すように、次のＸ座標検出周期では、スイッチ部９Ｂから（電極Ｘ２）に直流電圧Ｖｃｃが印加され、スイッチ部９Ａ（電極Ｘ１）は、グランドに接続されている状態とする。そうすると、次の周期で、同じ押下位置のままであれば、電極Ｙ１から出力される電圧は、約１／３Ｖｃｃとなる。これにより、下部抵抗膜８Ｂの出力電圧値（Ａ／Ｄ変換器７Ｂへの入力電圧値）をできるだけ小さくした上で、座標の検出が行える。例えば、メモリ６２に、電圧印加方向に応じて、ディジタルデータと座標の対応を示すテーブルを記憶させておけば、表示制御部６は、スイッチ部９Ａとスイッチ部９Ｂの状態を把握しているので、押下位置のＸ座標を検出することができる。
【００８０】
次に、Ｙ座標検出の例を説明する。図９（ａ）は、スイッチ部９Ｃから（電極Ｙ１）に直流電圧Ｖｃｃが印加され、スイッチ部９Ｄ（電極Ｙ２）は、グランドに接続されている状態を示す。このとき、例えば、タッチパネル部４の上端（電極Ｙ１側）から、タッチパネル部４のＹ座標軸方向の全長の１／３離れた地点が押下されたとする。
【００８１】
そうすると、上部抵抗膜８Ａと下部抵抗膜８Ｂの接触位置から、下部抵抗膜８Ｂにおける抵抗の比は、電極Ｙ１側の抵抗Ｒｙを１とすると、電極Ｙ２側の抵抗は２Ｒｙとなる（約２倍の長さ、抵抗のリニアリティ）。従って、電極Ｘ１から出力される電圧は、約２／３Ｖｃｃとなる。そして、Ａ／Ｄ変換器７Ａのディジタルデータを受けて、表示制御部６は、Ａ／Ｄ変換器７Ｂに入力された電圧は、切替電圧値を超えていることを認識できる。尚、切替電圧値は、例えば、上述の中間値とすることができる。
【００８２】
そこで、表示制御部６は、図８（ｂ）に示すように、次の周期では、スイッチ部９Ｄから（電極Ｙ２）に直流電圧Ｖｃｃが印加され、スイッチ部９Ｃ（電極Ｙ１）は、グランドに接続されている状態に移行させる。そうすると、次の周期で、同じ押下位置のままであれば、電極Ｘ１から出力される電圧は、約１／３Ｖｃｃとなる。これにより、上部抵抗膜８Ａからの出力電圧値（Ａ／Ｄ変換器７Ｂへの入力電圧値）をできるだけ小さくした上で座標の検出が行える。
【００８３】
（座標検出制御）
次に、図１０に基づき、本発明の実施形態に操作パネル１での座標検出制御の一例を説明する。図１０は、本発明の実施形態に操作パネル１での座標検出制御の一例を示すフローチャートである。尚、図１０のスタートは、例えば、複合機１００が稼働し、タッチパネル部４への入力可能な状態である。
【００８４】
次に、表示制御部６は、スイッチ部９Ａとスイッチ部９Ｂを制御して、上部抵抗膜８ＡのＸ座標軸方向に電圧を印加する（ステップ♯１）。例えば、表示制御部６は、電極Ｘ１に直流電圧Ｖｃｃを、電極Ｘ２にグランドに接続する。
【００８５】
そして、表示制御部６は、下部抵抗膜８Ｂに接続されるＡ／Ｄ変換器７Ｂからのディジタルデータを確認し、タッチパネル部４への押下があったかを確認する（ステップ♯２）。例えば、表示制御部６は、上部抵抗膜８Ａの電圧印加後、下部抵抗膜８Ｂに接続されるＡ／Ｄ変換器７Ｂから、電圧の検出がなく、ゼロと認められるディジタルデータを受け取った場合、押下はないと判断できる。もし、押下が無かったと認められれば（ステップ♯２のＮｏ）、後述のステップ♯６に移行する。
【００８６】
一方、タッチパネル部４への押下があったと認められれば（ステップ♯２のＹｅｓ）、表示制御部６は、Ａ／Ｄ変換器７Ｂからのディジタルデータが示す値が、切替電圧値を超えるか否かを確認する（ステップ♯３）。例えば、Ａ／Ｄ変換器７が１０ビットでディジタルデータを出力する場合（例えば、１０進数に換算して０〜１０２３）、半分の値を超えれば（例えば、１０進数に換算して５１２以上）であれば、表示制御部６は、切替電圧値を超えると判断する。
【００８７】
もし、切替電圧値を超えなければ（ステップ♯３のＮｏ）、表示制御部６は、Ａ／Ｄ変換器７Ｂからのディジタルデータに基づき、Ｘ座標を検出する（ステップ♯４）。一方、切替電圧値を超えれば（ステップ♯３のＹｅｓ）、Ｘ座標の検出を行わず、表示制御部６は、次のＸ座標検出周期での電極Ｘ１と電極Ｘ２の電圧印加方向を逆方向とする設定を記憶する（ステップ♯５）。これにより、次のＸ座標検出周期では、電極Ｘ１と電極Ｘ２の電圧印加方向が、直前の周期での方向と逆転され、下部抵抗膜８Ｂから主力される電圧（の絶対値）が小さくなる。
【００８８】
次に、表示制御部６は、スイッチ部９Ｃとスイッチ部９Ｄを制御して、下部抵抗膜８ＢのＹ座標軸方向に電圧を印加する（ステップ♯６）。例えば、表示制御部６は、電極Ｙ１に直流電圧Ｖｃｃを、電極Ｙ２にグランドに接続する。
【００８９】
そして、表示制御部６は、上部抵抗膜８Ａに接続されるＡ／Ｄ変換器７Ａからのディジタルデータを確認し、タッチパネル部４への押下があったかを確認する（ステップ♯７）。押下があったか否かの確認は、ステップ♯２の場合と同様でよい。もし、押下がなければ（ステップ♯７のＮｏ）、例えば、後述のステップ♯１に戻る。
【００９０】
一方、タッチパネル部４への押下があったと認められれば（ステップ♯７のＹｅｓ）、表示制御部６は、Ａ／Ｄ変換器７Ａからのディジタルデータが示す値が、切替電圧値を超えるか否かを確認する（ステップ♯８）。例えば、Ａ／Ｄ変換器７Ａが１０ビットでディジタルデータを出力する場合（例えば、１０進数に換算して０〜１０２３）、半分の値を超えれば（例えば、１０進数に換算して５１２以上）であれば、表示制御部６は、切替電圧値を超えると判断する。
【００９１】
もし、切替電圧値を超えなければ（ステップ♯８のＮｏ）、表示制御部６は、Ａ／Ｄ変換器７Ａからのディジタルデータに基づきＹ座標を検出する（ステップ♯９）。一方、切替電圧値を超えれば（ステップ♯８のＹｅｓ）、表示制御部６はＹ座標の検出を行わず、次のＹ座標検出周期での電極Ｙ１と電極Ｙ２の電圧印加方向を逆方向とする設定を記憶する（ステップ♯１０）。即ち、位置検出部１０は、切替電圧値を超える電圧値に基づいて座標を確定せず、各抵抗膜８（上部抵抗膜８Ａ、下部抵抗膜８Ｂのいずれも）への電圧の印加方向が逆方向へ切替られた後に入力される電圧値に基づいて座標を検出、確定する。これにより、次のＹ座標検出周期では、電極Ｙ１と電極Ｙ２の電圧印加方向が、直前の周期での方向と逆転され、下部抵抗膜８Ｂから主力される電圧（の絶対値）が小さくなる。
【００９２】
即ち、表示入力装置（操作パネル１）は、位置検出部１０（表示制御部６や各Ａ／Ｄ変換器７）に入力された電圧が予め定められた電圧値としての切替電圧値を超える場合、一方の抵抗膜８の両端に印加する電圧の印加方向を逆方向にするスイッチ部９を有する。具体的には、スイッチ部９は、上部抵抗膜８Ａ、下部抵抗膜８Ｂ（抵抗膜８）のそれぞれに対して設けられ、それぞれのスイッチ部９は、位置検出部１０に入力された電圧が切替電圧値を超える場合、一方の抵抗膜８の両端に印加する電圧の印加方向を逆方向にする。
【００９３】
そして、ステップ♯９の後、例えば、表示制御部６は、Ｘ座標とＹ座標で所定回数連続して同じ座標を検出したかを確認する（ステップ♯１１）。尚、所定回数は、適宜設定できる（例えば、３〜４回）。もし、同じＸ座標とＹ座標が所定回数続けて検出されなければ（ステップ♯１１のＮｏ）、例えば、ステップ♯１に戻る。
【００９４】
一方、同じＸ座標とＹ座標が所定回数続けて検出されれば（ステップ♯１１のＹｅｓ）、表示制御部６は、その座標が押下されたと確定する（ステップ♯１２）。そして、押下位置の座標確定のための制御は、一端、終了する（エンド）。この後、例えば、確定された座標に基づき、押下されたキーが特定される等により、液晶表示部１４の表示が切り替わる。そして、再び、座標確定のための制御が開始される（スタート）。
【００９５】
このようにして、各Ａ／Ｄ変換器７に入力される電圧がほぼ完全に立ち上がらない時点の電圧値に基づいて、位置検出部１０（例えば、表示制御部６及び各Ａ／Ｄ変換器７）が押下位置の座標検出を行えば、実際の押下位置と検出された座標とのズレが生ずる。各コンデンサの容量が大きく、又、立ち上がり後の電圧が大きい場合ほど（振幅が大きいほど）、各Ａ／Ｄ変換器７に入力される電圧がほぼ完全に立ち上がるまでの時間は長くなるので、実際の押下位置と検出された座標とのズレが大きくなる。しかし、スイッチ部９は、切替電圧値を超える場合、一方の抵抗膜８の両端に印加する電圧の印加方向を逆方向にする。
【００９６】
これにより、同じ座標を示す各抵抗膜８の出力電圧は、切替前よりも切替後の方が、立ち上がり後の電圧は小さくなる。これにより、大容量のコンデンサが各抵抗膜８と位置検出部１０との間に接続されても、押下位置の座標検出での精度を高めることができる。更に、大容量のコンデンサを接続できるので、表示入力装置（例えば、操作パネル１）は、静電気ノイズに対し強く、静電気ノイズによる位置検出部１０の故障、破壊をなくすことができる。又、大容量のコンデンサを接続しても、位置検出部１０の検出タイミングを遅らせる必要が無く、タッチパネル部４の反応は悪くならない。
【００９７】
又、各スイッチ部９は、二枚の抵抗膜８（上部抵抗膜８Ａ、下部抵抗膜８Ｂ）のそれぞれに対して設けられるので、大容量のコンデンサが各抵抗膜８と位置検出部１０との間で接続されても、Ｘ座標軸方向とＹ座標軸方向の両方の座標軸方向で、押下位置の座標の検出結果の精度を高めることができる。又、位置検出部１０は、逆方向へ切替られた後に入力される電圧値に基づいて座標を確定するので、ズレが少ない抵抗膜８の出力電圧に基づき、押下位置の座標を確定し、検出することができる。これにより、押下位置の座標の検出結果の精度を高めることができる。又、切替電圧値は、押下位置の座標を検知する上での、位置検出部１０に入力され得る電圧幅の中間値であるので、正確に座標を確定することができる。
【００９８】
又、タッチパネル部４部の反応が良く、タッチパネル部４で押下された座標の検出精度が高いので、使用者によって使いやすい表示入力装置を有する画像形成装置を提供することができる。又、静電気ノイズに対し強いので、故障や誤動作が生じにくい表示入力装置を有する画像形成装置を提供することができる。
【００９９】
以上、本発明の実施形態につき説明したが、本発明の範囲はこれに限定されるものではなく、発明の主旨を逸脱しない範囲で種々の変更を加えて実施することができる。
【産業上の利用可能性】
【０１００】
本発明は、タッチパネル部４により押下位置を検出する表示入力装置や、この表示入力装置を備えた画像形成装置に利用可能である。
【符号の説明】
【０１０１】
１      操作パネル（表示入力装置）      １５    入力キー
１４    液晶表示部（表示部）            ４      タッチパネル部
６      表示制御部（位置検出部の一部）  ６５    電源部
７（７Ａ、７Ｂ）  Ａ／Ｄ変換器（位置検出部の一部）
８（８Ａ、８Ｂ）  抵抗膜
９（９Ａ、９Ｂ、９Ｃ、９Ｄ）  スイッチ部
１０    位置検出部                      １００  複合機（画像形成装置）
Ｘ１    電極（上部抵抗膜８Ａ）          Ｘ２    電極（上部抵抗膜８Ａ）
Ｙ１    電極（下部抵抗膜８Ｂ）          Ｙ２    電極（下部抵抗膜８Ｂ）
Ｃ１    コンデンサ                      Ｃ２    コンデンサ
【図１】
2011134259.tif 000003
【図２】
2011134259.tif 000004
【図３】
2011134259.tif 000005
【図４】
2011134259.tif 000006
【図５】
2011134259.tif 000007
【図６】
2011134259.tif 000008
【図７】
2011134259.tif 000009
【図８】
2011134259.tif 000010
【図９】
2011134259.tif 000011
【図１０】
2011134259.tif 000012